(57)【要約】【課題】無瞬断の切り替えを要求するコネクションと無瞬断の切り替えを要求しないコネクションとが混在する伝送路が接続されている場合でも、コネクションごとに無瞬断の切り替えが可能な無瞬断切替装置を提供する。【解決手段】無瞬断切替装置としてのノード装置が備える送信部３４は、複数の位相調整選択部４２，４３と、振分部４１とを備える。位相調整選択部４２，４３の各々は、無瞬断の切り替えを要求するコネクションのパスに障害が発生した場合、選択するデータを無瞬断で切り換えることができる。振分部４１は、取得した各データが無瞬断の切り替えを要求するコネクションにおけるものであるか否かを各データに含まれる内容に基づいて判断し、無瞬断の切り替えを要求するコネクションにおけるデータであると判断した場合に、コネクションごとに異なる位相調整選択部４２，４３へ当該データを出力する。【選択図】図３
2013115584.tif 000002
【特許請求の範囲】
【請求項１】
接続される複数の伝送路のそれぞれを介してデータを受信する複数の受信手段と、
接続される伝送路を介してデータを送信する送信手段と、
前記各受信手段によって受信されたデータを取得し、当該取得した各データが示すパスに応じた前記送信手段へ当該各データを出力するスイッチ手段とを備え、
前記送信手段は、
前記複数の受信手段のいずれかによって受信されたデータを取得した場合に、当該取得したデータの位相を調整するとともに、前記複数の受信手段のうち異なる受信手段によって受信された同じデータがあるか否かを判断し、同じデータがあると判断したときには、当該同じデータのうち予め定められた前記受信手段によって受信されたデータを選択し、同じデータがないと判断したときには、当該取得したデータを選択する複数の位相調整選択手段と、
前記スイッチ手段から出力された各データを取得し、当該取得した各データが無瞬断の切り替えを要求するコネクションにおけるものであるか否かを当該各データに含まれる内容に基づいて判断し、無瞬断の切り替えを要求するコネクションにおけるデータであると判断した場合に、当該コネクションごとに異なる前記位相調整選択手段へ当該データを出力する振分手段と、
前記位相調整選択手段によって選択されたデータを多重して前記送信手段に接続された送信路へ出力する多重手段とを備える
ことを特徴とする無瞬断切替装置。
【請求項２】
前記振分手段は、無瞬断の切り替えを要求するコネクションにおけるデータでないと判断した場合に、前記多重手段へ当該データを出力し、
前記多重手段は、前記位相調整選択手段から出力されたデータと前記振分手段から出力されたデータとを多重して前記送信路へ出力する
ことを特徴とする請求項１に記載の無瞬断切替装置。
【請求項３】
接続される複数の伝送路のそれぞれを介してデータを受信する複数の受信手段と、
前記複数の受信手段のいずれかによって受信されたデータを取得した場合に、当該取得したデータの位相を調整するとともに、前記複数の受信手段のうち異なる受信手段によって受信された同じデータがあるか否かを判断し、同じデータがあると判断したときには、当該同じデータのうち予め定められた前記受信手段によって受信されたデータを選択し、同じデータがないと判断したときには、当該取得したデータを選択する複数の位相調整選択手段と、
前記複数の受信手段のいずれかによって受信されたデータを取得した場合に、当該取得した各データが無瞬断の切り替えを要求するコネクションにおけるものであるか否かを当該各データに含まれる内容に基づいて判断し、無瞬断の切り替えを要求するコネクションにおけるデータであると判断したときには、当該コネクションごとに異なる前記位相調整選択手段へ当該データを出力する振分手段と、
前記位相調整選択手段の各々によって選択されたデータを多重して、接続される伝送路を介してデータを送信する多重手段と、
前記各受信手段によって受信されたデータを取得し、当該取得した各データが無瞬断の切り替えを要求するコネクションにおけるものであるか否かを当該各データに含まれる内容に基づいて判断し、無瞬断の切り替えを要求するコネクションにおけるデータであると判断した場合には、当該データが示すパスに応じた前記振分手段へ当該データを出力し、無瞬断の切り替えを要求するコネクションにおけるデータでないと判断した場合には、当該データが示すパスに応じた前記多重手段へ当該データを出力するスイッチ手段とを備える
ことを特徴とする無瞬断切替装置。
【請求項４】
前記位相調整選択手段の各々は、
無瞬断の切り替えを要求するコネクションにおいて優先的に選択されるデータのパスとして予め定められた現用系のパスを収容する前記伝送路が接続される前記受信手段により受信されたデータを保持する現用系バッファと、
前記無瞬断の切り替えを要求するコネクションにおいて前記現用系のパスと同じデータが流通し、前記現用系のパスに障害が発生した場合に選択されるデータのパスとして予め定められた予備系のパスを収容する前記伝送路が接続される前記受信手段により受信されたデータを保持する予備系バッファと、
前記現用系のバッファに保持されたデータと前記予備系のバッファに保持されたデータとを位相を合わせて読み出すように制御するバッファ制御手段と、
前記バッファ制御手段による制御に従うことによって前記現用系バッファ及び前記予備系のバッファから位相を合わせてデータを読み出し、前記現用系バッファと前記予備系のバッファとの両バッファからデータを読み出すことができたか否かを判断し、両バッファから読み出すことができたと判断したときには、当該読み出したデータのうち前記現用系バッファから読み出したデータを選択し、両バッファから読み出すことができなかったと判断したときには、当該読み出したデータを選択する選択手段とを備え、
前記振分手段は、さらに、当該取得した各データが前記現用系のパスにおけるものであるか前記予備系のパスにおけるものであるかを判断し、前記現用系のパスにおけるデータであると判断したときには、当該データを前記現用系のバッファへ出力し、前記予備系のパスにおけるデータであると判断したときには、当該データを前記予備系のバッファへ出力する
ことを特徴とする請求項１から３のいずれか１項に記載の無瞬断切替装置。
【請求項５】
接続される複数の伝送路のそれぞれを介してデータを受信する複数の受信手段と、
接続される伝送路を介してデータを送信する送信手段と、
前記複数の受信手段のいずれかによって受信されたデータを取得した場合に、当該取得したデータの位相を調整するとともに、前記複数の受信手段のうち異なる受信手段によって受信された同じデータがあるか否かを判断し、同じデータがあると判断したときには、当該同じデータのうち予め定められた前記受信手段によって受信されたデータを選択し、同じデータがないと判断したときには、当該取得したデータを選択する複数の位相調整選択手段と、
前記受信手段によって受信されたデータを取得した場合に、当該取得したデータをコネクションごとに異なる前記位相調整選択手段へ出力する振分手段と、
前記各受信手段に受信されたデータを取得し、当該取得した各データが無瞬断の切り替えを要求するコネクションにおけるものであるか否かを当該各データに含まれる内容に基づいて判断し、無瞬断の切り替えを要求するコネクションにおけるデータであると判断した場合には、当該データを前記振分手段へ出力し、無瞬断の切り替えを要求するコネクションにおけるデータでないと判断した場合には、当該データを前記送信手段へ出力するスイッチ手段と、
前記各位相調整選択手段によって選択されたデータを多重し、当該多重したデータを、無瞬断を要求するコネクションにおけるデータではないものとして前記スイッチ手段へ出力する多重手段とを備える
ことを特徴とする無瞬断切替装置。
【発明の詳細な説明】
【技術分野】
【０００１】
本発明は、無瞬断切替装置に関する。
【背景技術】
【０００２】
装置間で連続的に又は間欠的にデータを送受信するデータ通信において、通信回線やノード装置に障害が発生した場合であってもデータ通信を継続できるようにするために、異なる２つのパスを介して装置間のデータ通信を行う方式がある。
【０００３】
例えば、１：１切替（プロテクション）方式では、送信側の装置が通常は現用系のパスのみを介してデータを送信し、障害が発生した場合にはデータを送信するパスを予備系パスへ切り替える。この方式では、現用系のパスに障害が発生した場合、受信側の装置は、障害が発生してから送信側の装置がその障害を検出してパスを切り替えるまでに送信されたデータを受信することができない。そのため、受信側の装置が、送信側の装置から送信されたデータの一部を受信することができなくなること（瞬断）が生じる。
【０００４】
これに対して、１＋１切替（プロテクション）方式では、送信側の装置が常時、現用系のパスと予備系のパスとに同じ本体部を含むデータを送信する。受信側の装置は通常は、現用系のパスと予備系のパスとを介して送信された本体部が同じデータを受信する。受信側の装置は、本体部が同じデータを重ねて受信した場合、現用系のパスを介して受信したデータを選択し、予備系のパスを介して受信したデータを廃棄する。現用系のパスに障害が発生した場合、受信側の装置は、選択するデータを受信したパスを現用系のパスから予備系のパスへ切り替える。この方式によれば、現用系のパスに障害が発生した場合であっても、受信側の装置は、送信側の装置から送信されたデータを予備系のパスを介して欠落なく受信することができる。
【０００５】
例えば特許文献１には、２系統のパスを経由してデータ通信を行う無瞬断ＳＤＨ伝送システムが開示されている。この無瞬断ＳＤＨ伝送システムに備えられる受信側の無瞬断ＳＤＨ伝送装置は、各フレームのパスにより発生する伝送遅延差および、障害検出時間を反映した位相調整を行う位相調整部と、位相調整部からの出力の一方をフレーム単位に選択し送信するセレクタとを備える。これによって、障害が発生した時に、選択するデータを受信したパスを切り換えてもデータの連続性を損なわず、無瞬断の切り替えができる。
【先行技術文献】
【特許文献】
【０００６】
【特許文献１】特開平１０−１３５９２３号公報
【発明の概要】
【発明が解決しようとする課題】
【０００７】
一般に１つの通信回線により提供される伝送路に複数のコネクションのパスが混在することがある。特許文献１に記載された無瞬断ＳＤＨ伝送装置は伝送路ごとに位相を合わせる。そのため、無瞬断の切り替えを要求するコネクションと無瞬断の切り替えを要求しないコネクションとが無瞬断ＳＤＨ伝送装置に接続される伝送路に混在する場合に、各コネクションごとの無瞬断の切り替えに対応することができない。
【０００８】
本発明は、上記の問題を解決するためになされたもので、無瞬断の切り替えを要求するコネクションと無瞬断の切り替えを要求しないコネクションとが混在する伝送路が接続されている場合であっても、無瞬断の切り替えを要求するコネクションについて無瞬断の切り替えが可能な無瞬断切替装置を提供することを目的とする。
【課題を解決するための手段】
【０００９】
上記目的を達成するため、本発明に係る無瞬断切替装置は、
接続される複数の伝送路のそれぞれを介してデータを受信する複数の受信手段と、
接続される伝送路を介してデータを送信する送信手段と、
前記各受信手段によって受信されたデータを取得し、当該取得した各データが示すパスに応じた前記送信手段へ当該各データを出力するスイッチ手段とを備え、
前記送信手段は、
前記複数の受信手段のいずれかによって受信されたデータを取得した場合に、当該取得したデータの位相を調整するとともに、前記複数の受信手段のうち異なる受信手段によって受信された同じデータがあるか否かを判断し、同じデータがあると判断したときには、当該同じデータのうち予め定められた前記受信手段によって受信されたデータを選択し、同じデータがないと判断したときには、当該取得したデータを選択する複数の位相調整選択手段と、
前記スイッチ手段から出力された各データを取得し、当該取得した各データが無瞬断の切り替えを要求するコネクションにおけるものであるか否かを当該各データに含まれる内容に基づいて判断し、無瞬断の切り替えを要求するコネクションにおけるデータであると判断した場合に、当該コネクションごとに異なる前記位相調整選択手段へ当該データを出力する振分手段と、
前記位相調整選択手段によって選択されたデータを多重して前記送信手段に接続された送信路へ出力する多重手段とを備えることを特徴とする。
【発明の効果】
【００１０】
本発明によれば、無瞬断切替装置は振分手段と複数の位相調整選択手段とを備える。振分手段は、データが無瞬断の切り替えを要求するコネクションにおけるものであるか否かを判断し、無瞬断の切り替えを要求するコネクションにおけるデータであると判断した場合に、コネクションごとに異なる位相調整選択手段へデータを出力する。したがって、無瞬断の切り替えを要求するコネクションと無瞬断の切り替えを要求しないコネクションとが混在する伝送路が接続されている場合であっても、無瞬断の切り替えを要求するコネクションについて無瞬断の切り替えが可能になる。
【図面の簡単な説明】
【００１１】
【図１】本発明の実施の形態１に係るネットワークの構成を示す図である。
【図２】本発明の実施の形態１に係るノード装置の構成を示す図である。
【図３】本発明の実施の形態１に係る送信部の構成を示すブロック図である。
【図４】位相調整選択部の構成を示すブロック図である。
【図５】本発明の実施の形態１に係る転送処理の流れを示すフローチャートである。
【図６】多重送信処理の流れを示すフローチャートである。
【図７】選択処理の流れを示すフローチャートである。
【図８】本発明の実施の形態２に係るノード装置の構成を示すブロック図である。
【図９】本発明の実施の形態２に係る転送処理の流れを示すフローチャートである。
【図１０】本発明の実施の形態３に係るノード装置の構成を示すブロック図である。
【図１１】本発明の実施の形態３に係る転送処理の流れを示すフローチャートである。
【発明を実施するための形態】
【００１２】
本発明の実施の形態について、図面を参照しつつ説明する。全図を通じて同一の要素には同一の符号を付す。また、同一の要素に関して重複する説明は省略する。
【００１３】
実施の形態１．
本発明の実施の形態１に係る無瞬断切替装置としてのノード装置１〜７は、図１に示すようにネットワーク１１に設けられたデータを転送する装置である。
【００１４】
データは、例えばパケットであってもよい。データは、また例えば、ＳＤＨ（Ｓｙｎｃｈｒｏｎｏｕｓ  Ｄｉｇｉｔａｌ  Ｈｉｅｒａｒｃｈｙ）又はＯＴＮ（Ｏｐｔｉｃａｌ  Ｔｒａｎｓｐｏｒｔ  Ｎｅｔｗｏｒｋ）などのＴＤＭ（Ｔｉｍｅ  Ｄｉｖｉｓｉｏｎ  Ｍｕｌｔｉｐｌｅｘｉｎｇ）データであってもよい。
【００１５】
ＳＤＨ又はＯＴＮにおけるデータであれば、ノード装置１〜７は、例えばＳＤＨクロスコネクト装置、ＯＤＵ（Ｏｐｔｉｃａｌｃｈａｎｎｅｌ  Ｄａｔａ  Ｕｎｉｔ）クロスコネクト装置などである。
【００１６】
ネットワーク１１において、ノード装置１は伝送路１３〜１５に接続されている。ノード装置２は伝送路１４，１６〜１８に接続されている。ノード装置３は伝送路１７，１９に接続されている。ノード装置４は伝送路１９，２２，２４に接続されている。ノード装置５は伝送路１５，２０に接続されている。ノード装置６は伝送路１８，２０，２１に接続されている。ノード装置７は伝送路２１〜２３に接続されている。なお、伝送路１３〜２４は、データが流通する経路であって、有線又は無線の通信回線によって提供される。
【００１７】
伝送路１３には、コネクションＰ，Ｑ及びＲが収容されており、伝送路１６にはコネクションＳが収容されている。伝送路２４には、コネクションＰ，Ｑ及びＳが収容されており、伝送路２３にはコネクションＲが収容されている。
【００１８】
ここで、コネクションとは、装置間で確立される接続関係である。コネクションには、その接続関係において要求される内容に応じて、異なる種別のものがある。コネクションＰ及びＳの各々は、無瞬断の切り替えを要求するコネクションである。コネクションＱは、瞬断を許容する切り替えを要求するコネクションである。コネクションＲは、切り替えを要求しないコネクションである。
【００１９】
無瞬断の切り替えを要求するコネクションＰ，Ｓおよび瞬断を許容する切り替えを要求するコネクションＱでは、現用系のパスと予備系のパスとを介して送信側の装置と受信側の装置との間の接続が確立される。コネクションＰ、Ｑでは、現用系のパスに伝送路１４，１７，１９が使用され、予備系のパスに伝送路１５，２０，２１，２２が使用され、コネクションＳでは、現用系のパスに伝送路１７，１９が使用され、予備系のパスに伝送路１８，２１，２２が使用される。
【００２０】
ネットワーク１１ではノード装置１は例えば、無瞬断の切り替えを要求するコネクションＰにおけるデータを受信したとき、その受信したデータを複製し、複製したデータのヘッダ部に予備系のパスを介するデータであることを付してデータを生成する。ノード装置１は例えば、複製元のデータを現用系のパスへ、生成したデータを予備系のパスへ送信する。これによって、現用系のパスと予備系のパスとのそれぞれには同じデータが送信される。
【００２１】
ネットワーク１１ではノード装置４は例えば、現用系及び予備系のパスが収容された伝送路１９及び２２を介してコネクションＰ又はＳにおける同じデータを受信する。そして、ノード装置４は、同じデータのうち、現用系のパスを介して受信したデータを選択して伝送路２４へ送信する。
【００２２】
ノード装置４は、現用系のパスを形成する伝送路１４，１７，１９及びノード装置２，３のいずれかで障害が発生した場合、現用系のパスから予備系のパスへ、選択するデータを切り換える。
【００２３】
このように、ノード装置４では、現用系のパスと予備系のパスとを介して同じデータを受信するので、詳細後述するように、ノード装置１から送信されたデータを欠落なく受信して切り換えること（無瞬断の切り替え）ができる。
【００２４】
瞬断を許容する切り替えを要求するコネクションＱでは、通常は現用系のパスを介して接続が確立され、現用系のパスで障害が発生したときは予備系のパスを介して接続が確立される。コネクションＱでは、現用系のパスに伝送路１４，１７，１９が使用され、予備系のパスに伝送路１５，２０，２１，２２が使用される。
【００２５】
コネクションＱでは送信側の装置は通常、コネクションＰ，Ｓと異なり、現用系のパスのみを介してデータを送信する。送信側の装置（例えば、ノード装置１）は、障害が発生した場合にはそれを検知し、その後にデータを送信するためのパスを予備系のパスへ切り換えて送信する。したがって、受信側の装置（例えば、ノード装置４）は、現用系のパスに障害が発生してからそれが検知されてパスが切り換えられる前に送信側の装置が送信したデータを受信できないことになる。
【００２６】
切り替えを要求しないコネクションＲでは、１つのパスを介して接続が確立される。コネクションＲのパスでは、伝送路１５，２０，２１が使用される。したがって、そのパスに障害が発生した場合には、その障害が復旧するまで送信側の装置と受信側の装置との間の通信は断たれることになる。
【００２７】
ノード装置１〜７の各々は、接続された伝送路１３〜２４を介してデータを受信し、受信したデータを解析することによってそのデータのパスを判断し、判断したパスに応じた伝送路１３〜２４へデータを送信する。
【００２８】
本実施の形態では、伝送路１３〜２４において図１の矢印方向にデータが流れる場合を例に説明する。すなわち、例えばノード装置４はコネクションＰ，Ｑ及びＳのそれぞれについて、伝送路１９又は２２を介してデータを受信し、伝送路２４を介してデータを送信する。
【００２９】
ノード装置４が備える構成について図２を参照して説明する。なお、ノード装置１〜３，５〜７の構成も、ノード装置４の構成と同様であってよい。
【００３０】
ノード装置４は、同図に示すように、２つの受信部３１，３２とスイッチ部３３と２つの送信部３４，３５とを備える。受信部３１，３２及び送信部３４の各々は、伝送路１９，２２又は２４が接続される通信インタフェースである。
【００３１】
詳細には、受信部３１にはコネクションＰ，Ｑ，Ｓの現用系のパスが収容される伝送路１９が接続されており、受信部３１は伝送路１９を介してデータを受信する。受信部３２にはコネクションＰ，Ｑ，Ｓの予備系のパスが収容される伝送路２２が接続されており、受信部３２は伝送路２２を介してデータを受信する。
【００３２】
送信部３４にはコネクションＰ，Ｑ，Ｓが収容される伝送路２４が接続されており、送信部３４は伝送路２４を介してデータを送信する。送信部３４は詳細後述するように、必要に応じて、無瞬断の切り替えを要求するコネクションＰ又はＳにおけるデータについて無瞬断の切り替えを行う。なお、ノード装置４の送信部３５には伝送路が接続されていない。
【００３３】
スイッチ部３３は、受信部３１，３２の各々によって受信されたデータを取得し、取得した各データの転送先に応じた送信部３４又は３５へ各データを出力する回路である。出力先は例えば、スイッチ部３３がデータのヘッダ部を解析し、そのヘッダ部に含まれるパスが収容された伝送路２４が接続された送信部３４に決定されるとよい。
【００３４】
なお、ノード装置４の場合、送信部３４に伝送路２４が接続され、送信部３５に伝送路が接続されていないため、スイッチ部３３は送信部３４へ常に出力することになる。
【００３５】
これに対して、例えばノード装置２の場合、その送信部３４，３５のそれぞれに伝送路１７，１８が接続されている。そのため、スイッチ部３３は、コネクションＰ又はＱにおけるデータであれば伝送路１７が接続された送信部３４へ、コネクションＳにおけるデータであれば伝送路１８が接続された送信部３５へ出力する。
【００３６】
送信部３４の詳細な構成について図３を参照して説明する。なお、送信部３５の構成は、送信部３４と同様であってよい。
【００３７】
送信部３４は、同図に示すように、振分部４１と、複数の位相調整選択部４２，４３と、多重部４４とを備える。振分部４１と位相調整選択部４２，４３の各々とは、現用系パス用の配線４５ａ，４６ａと予備系パス用の配線４５ｂ，４６ｂとを含む無瞬断コネクション用の配線４５，４６により接続される。振分部４１と多重部４４とは、瞬断許容コネクション用の配線４７で接続される。
【００３８】
振分部４１は、スイッチ部３３から出力された各データを取得する。振分部４１は、取得した各データが無瞬断の切り替えを要求するコネクションＰ，Ｓにおけるものであるか否かを各データに含まれるヘッダ部に基づいて判断する。
【００３９】
無瞬断の切り替えを要求するコネクションＰ，Ｓにおけるデータであると判断した場合、振分部４１は、コネクションＰ，Ｓごとに異なる位相調整選択部４２，４３へ無瞬断コネクション用の配線４５，４６を介してデータを出力する。
【００４０】
振分部４１がコネクションごとに位相調整選択部４２，４３のいずれへ出力するかは、予め設定されるとよい。ノード装置４では、位相調整選択部４２にはコネクションＰが割り当てられており、位相調整選択部４３にはコネクションＳが割り当てられているとする。
【００４１】
この場合、コネクションＰの現用系のパスを介して受信されたデータは、現用系パス用の配線４５ａを介して位相調整選択部４２へ出力される。コネクションＰの予備系のパスを介して受信されたデータは、予備系パス用の配線４５ｂを介して位相調整選択部４２へ出力される。
【００４２】
コネクションＳの現用系のパスを介して受信されたデータは、現用系データの配線４６ａを介して位相調整選択部４３へ出力される。コネクションＳの予備系のパスを介して受信されたデータは、予備系パス用の配線４６ｂを介して位相調整選択部４３へ出力される。
【００４３】
振分部４１は、無瞬断の切り替えを要求するコネクションにおけるデータではないと判断した場合、瞬断許容コネクション用の配線４７を介して多重部４４へデータを出力する。
【００４４】
位相調整選択部４２，４３の各々は、データを振分部４１から取得した場合に、必要に応じて選択するデータを無瞬断で切り換える。位相調整選択部４２の詳細な構成を図４に示す。なお、位相調整選択部４３の詳細な構成も、位相調整選択部４２と同様であってよい。
【００４５】
位相調整選択部４２は、同図に示すように、現用系バッファ５１と、予備系バッファ５２と、バッファ制御部５３と、選択部５４とを備える。
【００４６】
現用系バッファ５１と予備系バッファ５２とは一時的にデータを保持するバッファである。現用系バッファ５１は、現用系パス用の配線４５ａを介して振分部４１から出力されたデータを保持する。予備系バッファ５２は、予備系パス用の配線４５ｂを介して振分部４１から出力されたデータを保持する。
【００４７】
バッファ制御部５３は、現用系バッファ５１と予備系バッファ５２とのそれぞれに保持されるデータを振分部４１から取得し、現用系バッファ５１と予備系バッファ５２とのそれぞれから位相を合わせてデータを読み出すための制御を行う回路である。
【００４８】
同じデータであっても一般に、現用系のパスと予備系のパスとの物理的な距離の違いなどによって、現用系バッファ５１と予備系バッファ５２とへ出力される時間には違いが生じる。バッファ制御部５３は、振分部４１が現用系バッファ５１と予備系バッファ５２とのそれぞれへ出力するデータを、その出力と同時に振分部４１から取得する。そのため、例えば同じデータが現用系バッファ５１と予備系バッファ５２とへ格納される時期を監視することによって伝送遅延時間を算出することができる。
【００４９】
バッファ制御部５３は、例えば算出した伝送遅延時間などに応じて現用系バッファ５１と予備系バッファ５２から読み出す時期を制御する。これによって、現用系バッファ５１と予備系バッファ５２とのそれぞれから位相を合わせてデータを読み出すように制御することができる。
【００５０】
なお、同じデータであるか否かは、本体部の内容を直接比較することによって判断されてもよく、本体部の内容を特定できるヘッダ部の内容を比較することによって判断されてもよい。
【００５１】
選択部５４は、バッファ制御部５３による制御の下、現用系バッファ５１と予備系バッファ５２とのそれぞれから位相を合わせてデータを読み出し、読み出したデータを適宜選択する回路である。
【００５２】
現用系バッファ５１と予備系バッファ５２との両者から、又は現用系バッファ５１のみから、データが読み出された場合には、選択部５４は、現用系バッファ５１から読み出したデータを選択する。
【００５３】
予備系バッファ５２のみからデータが読み出された場合には、選択部５４は、選択するデータを予備系バッファ５２から読み出したデータへ切り換える。
【００５４】
選択部５４は、現用系バッファ５１又は予備系バッファ５２から読み出して選択したデータを多重部４４へ出力する。
【００５５】
このように、バッファ制御部５３の制御の下で選択部５４は、現用系バッファ５１と予備系バッファ５２とのそれぞれから位相を合わせてデータを読み出す。予備系バッファ５２のみからデータが読み出された場合は、現用系のパスに障害が発生しており、現用系のパスを介してデータが受信されていない。この場合であっても、データは予備系のパスを介して受信されているため、上述のように選択部５４がデータを切り換えて選択することによって、無瞬断の切り替えが可能になる。
【００５６】
ここで、現用系のパスの障害とは例えば、現用系のパスを構成するノード装置２，３及び伝送路１４，１７，１９のいずれかに発生し、現用系のパスを介して正常にデータを送受信できなくなることをいう。
【００５７】
図３に戻り、多重部４４は、振分部４１又は位相調整選択部４２，４３から出力されたデータを取得し、取得したデータを多重するマルチプレクサなどの回路である。多重部４４は、接続されている伝送路２４へ多重したデータを出力する。
【００５８】
これまで、本発明の実施の形態１に係る無瞬断切替装置としてのノード装置１〜７の構成について説明した。ここから、ノード装置１〜７の各々がデータを転送するために実行する転送処理の流れについて説明する。
【００５９】
ノード装置１〜７の各々が実行する転送処理の流れは同じであってよく、ノード装置４が実行する場合を例に図５を参照して説明する。
【００６０】
受信部３１又は３２はそれぞれ、伝送路１９又は２２を介してデータを受信する（ステップＳ１０１）。受信部３１，３２は、データを受信すると、そのデータをスイッチ部３３へ出力する。
【００６１】
スイッチ部３３は受信部３１，３２から出力されたデータを取得する（ステップＳ１０２）。
【００６２】
スイッチ部３３は、例えば取得したデータのヘッダ部を解析することによってそのデータのパスを特定する。そして、スイッチ部３３は、特定したパスが収容された伝送路２４が接続された送信部３４を特定する（ステップＳ１０３）。
【００６３】
スイッチ部３３は、特定した送信部３４へ、取得したデータを出力する（ステップＳ１０４）。
【００６４】
送信部３４は、スイッチ部３３からデータを取得すると、取得したデータを適宜選択し多重して伝送路２４へ送信し（ステップＳ１０５）、転送処理を終了する。
【００６５】
送信部３４が実行する多重送信処理（ステップＳ１０５）の詳細な流れについて図６を参照して説明する。
【００６６】
振分部４１は、スイッチ部３３からデータを取得する（ステップＳ１１１）。
【００６７】
振分部４１は、取得したデータが出力されたコネクションの種別を例えばそのデータのヘッダ部を解析することによって判断する（ステップＳ１１２）。
【００６８】
データが無瞬断の切り替えを要求するコネクションＰ，Ｓにおけるものであると判断した場合（ステップＳ１１２；無瞬断切替）、振分部４１は、さらにコネクションＰ，Ｓを特定する。そして、振分部４１は、コネクションＰと特定した場合には位相調整選択部４２へ、コネクションＳと特定した場合には位相調整選択部４３へデータを出力する（ステップＳ１１３）。
【００６９】
位相調整選択部４２，４３の各々は、振分部４１からデータを取得すると、取得したデータのうち１つを選択し、その選択したデータを多重部４４へ出力する（ステップＳ１１４）。
【００７０】
選択処理（ステップＳ１１４）における詳細な処理の流れについて、図７を参照して説明する。
【００７１】
同図に示すように、位相調整選択部４２，４３の各々は、受信部３１又は３２によって受信されたデータをスイッチ部３３及び振分部４１を介して取得する（ステップＳ１３１）。
【００７２】
具体的には、コネクションＰの現用系のパスが収容された伝送路１９が接続された受信部３１によって取得されたデータは、振分部４１によって現用系パス用の配線４５ａを介して位相調整選択部４２の現用系バッファ５１に格納される。これによって、位相調整選択部４２は、コネクションＰの現用系のパスを介して受信されたデータを取得する。
【００７３】
また、コネクションＰの予備系のパスが収容された伝送路２２が接続された受信部３２によって取得されたデータは、振分部４１によって予備系パス用の配線４５ｂを介して位相調整選択部４２の予備系バッファ５２に格納される。これによって、位相調整選択部４２は、コネクションＰの予備系のパスを介して受信されたデータを取得する。
【００７４】
選択部５４は、バッファ制御部５３による制御の下で位相を調整して、例えば位相を合わせて現用系バッファ５１及び予備系バッファ５２からデータを読み出す（ステップＳ１３２）。
【００７５】
選択部５４は、現用系バッファ５１から読み出したデータがあるか否かを判断する（ステップＳ１３３）。
【００７６】
現用系バッファ５１から読み出したデータがあると判断した場合（ステップＳ１３３；Ｙｅｓ）、選択部５４は、現用系バッファ５１から読み出したデータを選択する（ステップＳ１３４）。
【００７７】
現用系バッファ５１から読み出したデータがないと判断した場合（ステップＳ１３３；Ｎｏ）、選択部５４は、選択するデータを現用系バッファ５１から予備系バッファ５２へ切り替える。これにより、選択部５４は、予備系バッファ５２から読み出したデータを選択する（ステップＳ１３５）。
【００７８】
選択部５４は、現用系データ選択処理（ステップＳ１３４）又は予備系データ選択処理（ステップＳ１３５）において選択したデータを多重部へ出力し（ステップＳ１３６）、選択処理（ステップＳ１１４）を終了する。
【００７９】
図６に戻る。
データが瞬断を許容する切り替えを要求するコネクションＱにおけるものであると判断した場合（ステップＳ１１２；瞬断許容切替）、振分部４１は、瞬断許容コネクション用の配線４７を介してそのデータを多重部４４へ出力する（ステップＳ１１５）。
【００８０】
データが切り替えを要求しないコネクションＲにおけるものであると判断した場合（ステップＳ１１２；切替不要）、振分部４１は、瞬断許容コネクション用の配線４７を介してそのデータを多重部４４へ出力する（ステップＳ１１６）。
【００８１】
多重部４４は、位相調整選択部４２，４３から出力されたデータと振分部４１から出力されたデータとの少なくともいずれかを取得した場合に、取得したデータを多重する（ステップＳ１１７）。
【００８２】
多重部４４は、多重したデータを伝送路２４を介して送信し（ステップＳ１１８）、多重送信処理（ステップＳ１０３）を終了する。
【００８３】
以上、本発明の実施の形態１について説明した。
【００８４】
本実施の形態によれば、ノード装置４が２つの送信部３４，３５を備え、各送信部３４，３５が振分部４１と２つの位相調整選択部４２，４３とを備える。振分部４１は、取得した各データが無瞬断の切り替えを要求するコネクションＰ，Ｓにおけるものであるか否かを判断する。無瞬断の切り替えを要求するコネクションＰ，Ｓにおけるデータであると判断した場合、振分部４１は、コネクションＰ，Ｓごとに異なる位相調整選択部４２，４３へデータを出力する。各位相調整選択部４２，４３は、現用系のパスに障害が発生した場合、選択するデータを無瞬断で切り換えることができる。したがって、無瞬断の切り替えを要求するコネクションＰ，Ｓと無瞬断の切り替えを要求しないコネクションＱとが混在する伝送路１９，２２を介してデータを受信した場合であっても、ノード装置４は無瞬断の切り替えを要求する各コネクションＰ，Ｓについて無瞬断の切り替えが可能になる。
【００８５】
振分部４１は、無瞬断の切り替えを要求するコネクションにおけるデータではないと判断した場合、瞬断許容コネクション用の配線４７を介して多重部４４へそのデータを出力する。
【００８６】
この点について、送信部３４が、コネクションＰ，Ｓが割り当てられた位相調整選択部４２，４３に加えて別の位相調整選択部を備え、瞬断を許容するコネクションＱにおけるデータは、別の位相調整選択部へ出力されてもよい。この場合、コネクションＱでは通常は現用系のパスのみを介してデータが受信されるため、選択部５４は現用系バッファ５１を介してデータを取得し多重部４４へ出力することになる。また、コネクションＱでは現用系のパスに障害が発生した場合、予備系のパスを介してデータが受信されるため、選択部５４は予備系バッファ５２を介してデータを取得し多重部４４へ出力することになる。
【００８７】
本実施の形態によれば、瞬断を許容するコネクションＱのために別の位相調整選択部を備える必要がない。本実施の形態では、無瞬断の切り替えを要求するコネクションＰ，Ｓの数と等しい数の位相調整選択部４２，４３を備えるだけで、接続された伝送路１９，２２に収容されたコネクションＰ，Ｑ，Ｓの要求に応じることができる。したがって、各送信部３４，３５、ひいては各ノード装置１〜７のコンパクト化、低コスト化が可能になる。
【００８８】
本実施の形態では、各位相調整選択部４２，４３が現用系バッファ５１と予備系バッファ５２とを備え、選択部５４がバッファ制御部５３の制御の下、位相を合わせて現用系のパスのデータと予備系のパスのデータとを読み出して選択する。これにより、現用系のパスに障害が発生した場合、選択部５４は、選択するデータのパスを現用系のパスから予備系のパスへ、データを欠落させることなく切り換えること、すなわち、無瞬断の切り替えが可能になる。
【００８９】
なお、本発明の実施の形態１は、これまで説明した形態に限定されるものではなく、例えば次のような変形を含んでよい。
【００９０】
例えば本実施の形態ではノード装置１〜７の各々が、２つの受信部３１，３２と２つの送信部３４，３５とを備える例により説明した。しかし、ノード装置１〜７の各々は２つ以上の任意の数の受信部３１，３２を備えてもよく、任意の数の送信部３４，３５を備えてよい。
【００９１】
ノード装置１〜７の各々が備える受信部３１，３２の数を増やすことによって、ノード装置１〜７の各々は、より多くの伝送路を介してデータを受信して転送することが可能になる。また、ノード装置１〜７の各々が備える送信部３４，３５の数を増やすことによって、ノード装置１〜７の各々は、受信したデータをより多くの伝送路へ送信することが可能になる。
【００９２】
本実施の形態では各ノード装置１〜７の送信部３４，３５の各々が２つの位相調整選択部４２，４３を備える例によって説明した。しかし、送信部３４，３５の各々は、２つ以上の任意の数の位相調整選択部４２，４３を備えてよい。
【００９３】
各ノード装置１〜７が対応可能な無瞬断の切り替えを要求するコネクションの数は、位相調整選択部４２，４３の数と同じになる。そのため、各送信部３４，３５が備える位相調整選択部４２，４３の数を増やすことによって、無瞬断の切り替えを要求するより多くのコネクションに対応することが可能になる。
【００９４】
本実施の形態では選択部５４が、通常は現用系のパスを介して受信されたデータを選択し、現用系のパスに障害が発生した時に予備系のバスを介して受信されたデータを選択する例により説明した。
【００９５】
しかし、選択部５４が、無瞬断の切り替えを要求するコネクションＰ又はＳの異なるパスを介して受信された同じデータについて、いずれのパスを介して受信されたものを選択するかは、適宜定められてよい。その選択方法は任意であってよいが、例えば同じデータのうち、先に受信されたデータを選択する方法であってもよい。このような変形によっても、実施の形態１と同様の効果を奏する。
【００９６】
実施の形態２．
本発明の実施の形態２に係る無瞬断切替装置としてのノード装置は、実施の形態１と同様のネットワーク１１を構成するノード装置１〜７の各々に代えて備えられる。
【００９７】
本実施の形態に係るノード装置２０４の構成を図８に示す。同図に示すように、ノード装置２０４は、実施の形態１に係るスイッチ部３３に代えてスイッチ部２３３を備える。また、ノード装置２０４が備える送信部２３４，２３５は、実施の形態１に係る送信部３４，３５の各々が備える振分部４１と多重部４４とに代えて、振分部２４１と多重部２４４とを備える。スイッチ部２３３と多重部２４４とは、瞬断許容コネクション用の配線２６１により接続されている。
【００９８】
スイッチ部２３３は、受信部３１又は３２からデータを取得すると、実施の形態１に係るスイッチ部３３と同様に、データの転送先に応じた送信部２３４又は２３５へデータを出力する。これに加えて、スイッチ部２３３は、データが無瞬断の切り替えを要求するコネクションＰ，Ｓにおけるものであるか否かを判断する。
【００９９】
無瞬断の切り替えを要求するコネクションＰ，Ｓにおけるデータであると判断した場合、実施の形態１に係るスイッチ部３３と同様に、スイッチ部２３３はそのデータを転送先に応じた送信部２３４又は２３５の振分部２４１へ出力する。無瞬断の切り替えを要求しないコネクションＱ，Ｒにおけるデータであると判断した場合、スイッチ部２３３はそのデータを転送先に応じた送信部２３４又は２３５の多重部２４４へ瞬断許容コネクション用の配線２６１を介して直接出力する。
【０１００】
振分部２４１は、無瞬断の切り替えを要求するコネクションＰ，Ｓにおけるデータをスイッチ部２３３から取得する。振分部２４１は、実施の形態１に係る振分部４１と同様に、コネクションＰ，Ｓごとに異なる位相調整選択部４２，４３へ無瞬断コネクション用の配線４５，４６を介してデータを出力する。
【０１０１】
多重部２４４は、スイッチ部２３３又は位相調整選択部４２，４３から出力されたデータを取得し、取得したデータを多重するマルチプレクサなどの回路である。多重部２４４は、実施の形態１に係る多重部４４と同様に、接続されている伝送路２４へ多重したデータを出力する。
【０１０２】
これまで、本実施の形態に係るノード装置２０４の構成について説明した。ここから、本実施の形態に係るノード装置２０４が実行する転送処理の流れについて図９を参照して説明する。
【０１０３】
同図に示すように、ノード装置２０４は、実施の形態１と同様に、受信部３１又は３２による受信処理（ステップＳ１０１）と、スイッチ部２３３によるデータ取得処理（ステップＳ１０２）及び送信部特定処理（ステップＳ１０３）とを実行する。
【０１０４】
スイッチ部２３３は、取得したデータのコネクションの種別を判断する（ステップＳ２０１）。この判断の方法は、実施の形態１に係るコネクション種別判断処理（ステップＳ１１２）と同様であってよい。
【０１０５】
データが無瞬断の切り替えを要求するコネクションＰ，Ｓにおけるものであると判断した場合（ステップＳ２０１；無瞬断切替）、スイッチ部２３３は、特定した送信部２３４，２３５の振分部２４１へデータを出力する（ステップＳ２０２）。
【０１０６】
振分部２４１は、スイッチ部２３３からデータを取得すると、そのデータのコネクションＰ又はＳを特定する。振分部２４１は、例えば実施の形態１に係る振分部４１と同様に、コネクションに対応付けて予め定められた位相調整選択部４２，４３へデータを出力する（ステップＳ２０３）。
【０１０７】
位相調整選択部４２，４３の各々は、実施の形態１と同様の選択処理（ステップＳ１１４）を実行する。
【０１０８】
データが瞬断を許容する切り替えを要求するコネクションＱにおけるものであると判断した場合（ステップＳ２０１；瞬断許容切替）、スイッチ部２３３は、瞬断許容コネクション用の配線２６１を介してそのデータを多重部２４４へ出力する（ステップＳ２０５）。
【０１０９】
データが切り替えを要求しないコネクションＲにおけるものであると判断した場合（ステップＳ２０１；切替不要）、スイッチ部２３３は、瞬断許容コネクション用の配線２６１を介してそのデータを多重部２４４へ出力する（ステップＳ２０６）。
【０１１０】
多重部２４４は、実施の形態１と同様に多重処理（ステップＳ１１７）と送信処理（ステップＳ１１８）を実行し、送信処理を終了する。
【０１１１】
以上、本発明の実施の形態２について説明した。
【０１１２】
本実施の形態によれば、スイッチ部２３３は、データが無瞬断の切り替えを要求しないコネクションＱ，Ｒにおけるものであると判断した場合に、そのデータを転送先に応じた送信部２３４又は２３５の多重部２４４へ瞬断許容コネクション用の配線２６１を介して直接出力する。
【０１１３】
そのため、振分部２４１は、データを取得した場合に実施の形態１とは異なり、無瞬断の切り替えを要求するコネクションＰ，Ｓにおけるデータであるか否かを判断する必要がない。したがって、振分部２４１が実行する処理を軽減することができ、各送信部３４，３５、ひいては各ノード装置１〜７のコンパクト化、低コスト化が可能になる。
【０１１４】
実施の形態３．
本発明の実施の形態３に係る無瞬断切替装置としてのノード装置は、実施の形態１と同様のネットワーク１１に備えられる。
【０１１５】
本実施の形態に係るノード装置３０４は、図１０に示すように、実施の形態１に係るスイッチ部３３と送信部３４，３５に代えて、スイッチ部３３３と送信部３３４，３３５とを備える。ノード装置３０４は、さらに、無瞬断処理部３７１を備える。
【０１１６】
無瞬断処理部３７１は、実施の形態２に係る送信部２３４と同様の振分部２４１と位相調整選択部４２，４３とを備える。また、無瞬断処理部３７１は、実施の形態２に係る送信部２３４が備える振分部２４１と多重部２４４のそれぞれに代えて、振分部３４１と多重部３４４とを備える。
【０１１７】
振分部３４１は、無瞬断の切り替えを要求するコネクションＰ，Ｓにおけるデータをスイッチ部３３３から取得すると、コネクションＰ，Ｓごとに異なる位相調整選択部４２，４３へ無瞬断コネクション用の配線４５，４６を介してデータを出力する。
多重部３４４は、位相調整選択部４２又は４３から出力されたデータを取得し、取得したデータを多重するマルチプレクサなどの回路である。多重部３４４は、多重したデータをスイッチ部３３３へ出力する。
【０１１８】
スイッチ部３３３は、受信部３１又は３２からデータを取得すると、例えば取得したデータのヘッダ部を解析することによってそのデータが無瞬断の切り換えを要求するコネクションＰ，Ｓにおけるものであるか否かを判断する。
【０１１９】
無瞬断の切り換えを要求するコネクションＰ，Ｓにおけるデータであると判断した場合、スイッチ部３３３は、そのデータを無瞬断処理部３７1へ出力する。
【０１２０】
無瞬断の切り換えを要求しないコネクションＱ，Ｒにおけるデータであると判断した場合、又は、無瞬断処理部３７1からデータを取得した場合、スイッチ部３３３は、そのデータを送信部３３４又は３３５へ出力する。
【０１２１】
ここで、無瞬断処理部３７1から取得したデータであるか否かは、データのヘッダ部を解析することによって判断されるとよい。そのために、無瞬断処理部３７1の多重部３４４は例えば、無瞬断の切り換えを要求しないコネクションにおけるデータであることを示すデータをヘッダに付すとよい。
【０１２２】
なお、無瞬断処理部３７1の多重部３４４は、例えば無瞬断処理部３７1が出力するデータであることを示す予め定められたデータをヘッダに付してもよい。この場合、スイッチ部３３３は例えば、そのデータを切替不要のコネクションにおけるデータとして取り扱うとよい。なお、無瞬断処理部３７1の多重部３４４は、スイッチ部３３３が送信部３３４又は３３５へ出力すべきことを示す予め定められたデータをヘッダに付してもよい。
【０１２３】
送信部３３４，３３５の各々は、スイッチ部３３３から出力されたデータを取得し、取得したデータを多重するマルチプレクサなどの回路である。送信部３３４，３３５の各々は、接続されている伝送路２４へ多重したデータを出力する。
【０１２４】
これまで、本発明の実施の形態３のノード装置３０４の構成について説明した。ここから、ノード装置３０４が実行する転送処理の流れについて図１１を参照して説明する。
【０１２５】
同図に示すように、ノード装置３０４は、受信部３１又は３２による受信処理（ステップＳ１０１）と、スイッチ部３３３によるデータ取得処理（ステップＳ１０２）及びコネクション種別判断処理（ステップＳ２０１）とを実行する。
【０１２６】
データが無瞬断の切り替えを要求するコネクションＰ，Ｓにおけるものであると判断した場合（ステップＳ２０１；無瞬断切替）、スイッチ部３３３は、無瞬断処理部３７1の振分部３４１へデータを出力する（ステップＳ３０１）。
【０１２７】
振分部３４１は、スイッチ部３３３からデータを取得すると、そのデータのコネクションＰ又はＳを特定する。振分部３４１は、実施の形態１に係る振分部４１と同様に、コネクションに対応付けて予め定められた位相調整選択部４２，４３へデータを出力する（ステップＳ３０２）。
【０１２８】
位相調整選択部４２，４３の各々は、実施の形態１と同様の選択処理（ステップＳ１１４）を実行する。
【０１２９】
多重部３４４は、位相調整選択部４２又は４３から出力されたデータを取得した場合に、取得したデータを多重し、多重したデータをスイッチ部３３３へ出力する（ステップＳ３０３）。
【０１３０】
データが瞬断を許容する切り替えを要求するコネクションＱにおけるものであると判断した場合（ステップＳ２０１；瞬断許容切替）、又は、データが切り替えを要求しないコネクションＲにおけるものであると判断した場合（ステップＳ２０１；切替不要）、スイッチ部３３３は、実施の形態１に係るスイッチ部３３と同様にそのデータに応じた送信部３３４又は３３５を特定する（ステップＳ１０３）。スイッチ部３３３は、特定した送信部３３４へデータを出力する（ステップＳ１０４）。
【０１３１】
なお、スイッチ部３３３は、無瞬断処理部３７１から出力されたデータを取得した場合も、無瞬断を要求するコネクションにおけるものではない、すなわち例えば、データが切り替えを要求しないコネクションＲにおけるものと同様の判断をする。
【０１３２】
送信部３３４は、スイッチ部３３３から出力されたデータを取得し、取得したデータを多重し（ステップＳ３０４）、多重したデータを伝送路２４を介して送信し（ステップＳ３０５）、転送処理を終了する。
【０１３３】
以上、本発明の実施の形態３について説明した。
【０１３４】
本実施の形態によれば、送信部３３４，３３５のそれぞれが、コネクションＰ，Ｓにおけるデータを共通の無瞬断処理部３７１を介して取得する。そのため、無瞬断の切り替えのために、送信部３３４，３３５のそれぞれが振分部３４１と位相調整選択部４２，４３と多重部３４４とを備える必要がない。したがって、本実施の形態によれば、一般的な通信インタフェースを送信部３３４，３３５に適用することが可能になる。
【０１３５】
本実施の形態によれば、位相調整選択部４２，４３の数が、送信部３３４及び３３５に接続された伝送路２４に収容される無瞬断の切り替えが必要なコネクションＰ，Ｓの総数以上であれば、無瞬断の切り替えが必要なコネクションが送信部３３４及び３３５に接続された伝送路のそれぞれに幾つ収容されているかに関わらず、それらのコネクションのすべてについて無瞬断の切り替えを実現することができる。
【０１３６】
したがって、接続される伝送路ごとに無瞬断の切り替えが必要なコネクションの数が異なるような場合であっても、位相調整選択部４２，４３の無駄を生じさせることなく、柔軟に対応することが可能になる。
【０１３７】
この効果について具体的に、無瞬断の切り替えが必要なコネクションが３つ収容された伝送路Ａと無瞬断の切り替えが必要なコネクションが１つ収容された伝送路Ｂを送信部３３４と送信部３３５とのいずれかに接続する場合を例に説明する。
【０１３８】
実施の形態１に係るノード装置４において、送信部３４が３つの位相調整選択部を備え、送信部３５が１つの位相調整選択部を備える場合、伝送路ＡとＢのすべてのコネクションについて無瞬断の切り替えを実現するには、伝送路Ａを送信部３４に接続し、伝送路Ｂを送信部３５に接続する必要がある。
【０１３９】
本実施の形態に係るノード装置３０４であれば、無瞬断処理部３７１が４つ以上の位相調整選択部を備えていれば、送信部３４，３５のいずれに伝送路Ａ，Ｂを接続しても、伝送路ＡとＢのすべてのコネクションについて無瞬断の切り替えを実現することができる。したがって、本実施の形態に係るノード装置３０４によって、接続される伝送路ごとに無瞬断の切り替えが必要なコネクションの数が異なるような場合であっても、柔軟に対応することが可能になる。
【０１４０】
送信部３４，３５のいずれに伝送路Ａ，Ｂを接続してもよいように仮に実施の形態１に係るノード装置４において実現するには、送信部３４と送信部３５のいずれもが３つの位相調整選択部を備える必要がある。この場合、伝送路Ｂが接続される送信部３４又は３５が備える位相調整選択部のうち２つは使用されないことになり無駄が生じてしまう。しかし、本実施の形態に係るノード装置３０４であれば、位相調整選択部の無駄を生じることもない。
【０１４１】
したがって上述のように、本実施の形態によれば、位相調整選択部４２，４３の無駄を生じさせることなく、柔軟に対応することが可能になる。
【０１４２】
本実施の形態によれば、無瞬断処理部３７１はスイッチ部３３３から出力されるデータを取得し、スイッチ部３３３へデータを出力する。これを実現するためには、スイッチ部３３３が送信部３３４，３３５のために備える出力インタフェースに無瞬断処理部３７１の入力インタフェースを接続するとよい。また、スイッチ部３３３が受信部３１，３２のために備える入力インタフェースに無瞬断処理部３７１の出力インタフェースを接続するとよい。
【０１４３】
したがって、受信部３１，３２とスイッチ部３３３と送信部３３４，３３５とを備える一般的なノード装置に無瞬断処理部３７１を上述のように接続するだけで、ノード装置３０４を容易に実現することができる。例えば無瞬断処理部３７１を１つの回路基板又は装置として構成すれば、ノード装置３０４をより容易に実現することが可能になる。
【０１４４】
さらに例えば、ノード装置３０４の運用において、無瞬断の切り替えを要求するコネクションを最初はサポートしていなかったが、途中からそのサポートを開始するようになった場合やそのようなコネクションの数が増えた場合には、無瞬断処理部３７１を新たに取り付けるか又は増設することで対応できる。したがって、本実施の形態によれば無瞬断の切り替えを要求するコネクションのサポートを途中から開始する場合やそのようなコネクションの数が増加した場合に、容易に対応することができ、ユーザの利便性を向上させることが可能になる。
【０１４５】
さらに、無瞬断処理部３７１を新たに取り付ける際や増設する際に、ノード装置３０４が稼働中であるとしても、その動作に影響を与えることなく取り付け、又は増設ができる。したがって、ネットワークを中断させることなく、無瞬断の切り替えを要求するコネクションの発生やその数が増加に対応することができ、ユーザにとってきわめて利便性のよいノード装置３０４を提供することが可能になる。
【０１４６】
以上、本発明の実施の形態及び変形例について説明したが、本発明は、実施の形態及び変形例に限定されるものではなく、例えば各実施の形態及び各変形例を適宜組み合わせた態様、またそれらと均等な技術的範囲をも含む。
【符号の説明】
【０１４７】
１，２，３，４，５，６，７，２０４，３０４  ノード装置
１１  ネットワーク
１３,１４,１５,１６,１７,１８，１９，２０，２１，２２，２３，２４  伝送路
３１，３２  受信部
３３，２３３，３３３  スイッチ部
３４，３５，２３４，２３５，３３４，３３５  送信部
４１，２４１，３４１  振分部
４２，４３  位相調整選択部
４４，２４４，３４４  多重部
５１  現用系バッファ
５２  予備系バッファ
５３  バッファ制御部
５４  選択部
３７１  無瞬断処理部
【図１】
2013115584.tif 000003
【図２】
2013115584.tif 000004
【図３】
2013115584.tif 000005
【図４】
2013115584.tif 000006
【図５】
2013115584.tif 000007
【図６】
2013115584.tif 000008
【図７】
2013115584.tif 000009
【図８】
2013115584.tif 000010
【図９】
2013115584.tif 000011
【図１０】
2013115584.tif 000012
【図１１】
2013115584.tif 000013